【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
外科手術用ドリルガイドシステム（１００）であって、
挿入軸（１４２）に沿ってスリーブ部材（１１２）と摺動可能な連通を維持するため、その近位部分を貫通する開口部（１１４）を有するハンドル（１０２）であって、前記スリーブ部材が細長く、先端（１０８）を有する、ハンドルと、
それに対する円弧状の動きのために前記ハンドル（１０２）の遠位部分のスロット（１０４）と摺動可能に係合するアーム（１１０）であって、前記スロットに係合する近位端と開放されたボア（１５２）を含む遠位端とを有する、アームと、
ロック部材内の穴を貫通する、少なくとも部分的に前記アーム（１１０）の前記ボア（１５２）を通るねじ山付シャフト（１３２）を有する回転部材（１２２）と、
ガイド（１３０）と、
前記ガイド（１３０）の遠位端と一体的に形成されたテンプレート（１３４）であって、外科手術用取付物が通過する骨トンネルに対応するドリルの占有面積を画定する開口部（１５２）を有する、テンプレートと、
ロック部材（１２４）と、
前記ロック部材（１２４）と前記アーム（１１０）の前記ボア（１５２）との間に配置される付勢部材（１２６）であって、前記ロック部材（１２４）と前記回転部材（１２２）とを前記アーム（１１０）の前記ボア（１５２）から離れるように付勢するよう構成される、付勢部材と、
を備え、
前記ガイド（１３０）は、前記回転部材（１２２）の前記シャフト（１３２）に取り外し可能に結合され、前記回転部材（１２２）から前記挿入軸（１４２）に向かって延在し、
前記回転部材（１２２）の前記ねじ山付シャフト（１３２）は、前記ロック部材（１２４）の穴部（１２８）を通って延在し、
前記ロック部材（１２４）は、前記回転部材（１２２）の前記シャフト（１３２）によって画定されるヒンジ軸周りの回転のある角度で前記ガイド（１３０）をロックするためのロック機構を含む、外科手術用ドリルガイドシステム。
【請求項２】
前記スリーブ部材（１１２）の表面が、前記スリーブ部材（１１２）が回転した時に前記ハンドル（１０２）の内部部分と選択的なラチェット係合するための歯（１４６）を有する、請求項１に記載のシステム。
【請求項３】
前記スリーブ部材（１１２）の前記先端（１０８）が、前記スリーブ部材を骨に対して固定するための係合縁部を含む、請求項１に記載のシステム。
【請求項４】
前記スリーブ部材（１１２）が、ガイドワイヤー（１１８）の通過のために構成される、請求項１に記載のシステム。
【請求項５】
前記アーム（１１０）の表面が、前記ハンドル（１０２）に対する前記アーム（１１０）の円弧状の延長を測定するための少なくとも一つのマーキング（１１１）を含む、請求項１に記載のシステム。
【請求項６】
前記アーム（１１０）の前記ボア（１５２）が、前記付勢部材（１２６）を収容するための棚（１６２）を画定する、請求項１に記載のシステム。
【請求項７】
前記回転部材（１２２）がサムホイールである、請求項１に記載のシステム。
【請求項８】
前記付勢部材（１２６）が、前記回転部材（１２２）の前記シャフト（１３２）の周りに配置されるばねである、請求項１に記載のシステム。
【請求項９】
前記アーム（１１０）に固定して取り付けられるキャップ部材（１２０）をさらに含み、前記付勢部材（１２６）が前記ロック部材（１２４）および前記回転部材（１２２）を前記キャップ部材（１２０）に向けて付勢する、請求項１に記載のシステム。
【請求項１０】
前記ガイド（１３０）が、前記回転部材（１２２）の前記シャフト（１３２）に結合するための雌ねじ付き部分（１４８）を含む、請求項１に記載のシステム。
【請求項１１】
前記ロック機構が、前記アーム（１１０）内に形成された複数の陥凹部（１６０）との選択的な係合のために前記ロック部材（１２４）上にピン（１５８）を含む、請求項１に記載のシステム。
【請求項１２】
前記ロック機構が、前記アーム（１１０）内に形成された複数のスプライン（１６２）との選択的な係合のために前記ロック部材（１２４）上に複数の棘状突起を含む、請求項１に記載のシステム。
【請求項１３】
前記アーム（１１０）のうち前記ボア（１５２）を収容する表面が、前記ガイド（１３０）の関節運動の範囲を制限するための凹部（１６４）を含む、請求項１に記載のシステム。
【請求項１４】
前記関節運動の範囲が約２５度である、請求項１３に記載のシステム。
【請求項１５】
前記ロック部材が、前記ガイド（１３０）の関節運動の範囲を制限するために棚（１６２）内に形成されたポケット（１６８）と係合するための尾部機構（１６６）を含む、請求項１に記載のシステム。
【請求項１６】
前記関節運動の範囲が約２５度である、請求項１５に記載のシステム。
【手続補正２】
【補正対象書類名】明細書
【補正対象項目名】００３１
【補正方法】変更
【補正の内容】
【００３１】
本発明はその好ましい実施形態の参照により特に示され、記述されてきたが、当業者は、添付の請求項により定義される本出願の趣旨および範囲から逸脱することなく、その中に形態や詳細において様々な変更を行うことができることを理解するであろう。こうした変形は、本出願の範囲によって覆われることが意図される。このように、本出願の実施形態の前述の説明は、制限することを意図しておらず、むしろ、添付の特許請求によって全範囲が伝えられる。
［付記項１］
外科手術用ドリルガイドシステムであって、
挿入軸に沿ってスリーブ部材と摺動可能な連通を維持するため、その近位部分を貫通する開口部を有するハンドルであって、前記スリーブ部材が細長く、先端を有する、ハンドルと、
それに対する円弧状の動きのために前記ハウジングの遠位部分のスロットと摺動可能に係合するアームであって、前記スロットと開放されたボアを含む遠位端を係合する近位端を有する、アームと、
ロック部材内の穴を貫通する、少なくとも部分的に前記アームの前記ボアを通るねじ山付きシャフトを有する回転部材と、
前記ロック部材と前記アームの前記ボアとの間に配置される付勢部材であって、前記ロック部材と前記回転部材を前記アームの前記ボアから離れるように付勢するよう構成される、付勢部材と、
前記回転部材の前記シャフトに取り外し可能に結合され、前記回転部材から前記挿入軸に向かって延在するガイドと、
前記ガイドの遠位端と一体的に形成されたテンプレートであって、外科手術用取付物が通過する骨トンネルに対応するドリルの占有面積を画定する開口部を有する、テンプレートと、を備え、
前記ロック部材は、前記回転部材の前記シャフトによって画定されるヒンジ軸周りの回転のある角度で前記ガイドをロックするためのロック機構を含む、外科手術用ドリルガイドシステム。
［付記項２］
前記スリーブ部材の表面が、前記スリーブ部材が回転した時に前記ハンドルの内部部分と選択的なラチェット係合するための歯を有する、付記項１に記載のシステム。
［付記項３］
前記スリーブ部材の前記先端が、前記スリーブを骨に対して固定するための係合縁部を含む、付記項１に記載のシステム。
［付記項４］
前記スリーブが、ガイドワイヤーの通過のために構成される、付記項１に記載のシステム。
［付記項５］
前記アームの表面が、前記ハンドルに対する前記アームの円弧状の延長を測定するための少なくとも一つのマーキングを含む、付記項１に記載のシステム。
［付記項６］
前記アームの前記ボアが、前記付勢部材を収容するための棚を画定する、付記項１に記載のシステム。
［付記項７］
前記回転部材がサムホイールである、付記項１に記載のシステム。
［付記項８］
前記付勢部材が、前記回転部材の前記シャフトの周りに配置されるばねである、付記項１に記載のシステム。
［付記項９］
前記アームに固定して取り付けられるキャップ部材をさらに含み、前記付勢部材が前記ロック部材および前記回転部材を前記キャップ部材に向けて付勢する、付記項１に記載のシステム。
［付記項１０］
前記ガイドが、前記回転部材の前記シャフトに結合するための雌ねじ付き部分を含む、付記項１に記載のシステム。
［付記項１１］
前記ロック機構が、前記アーム内に形成された複数の陥凹部との選択的な係合のために前記ロック部材上にピンを含む、付記項１に記載のシステム。
［付記項１２］
前記ロック機構が、前記アーム内に形成された複数のスプラインとの選択的な係合のために前記ロック部材上に複数の棘状突起を含む、付記項１に記載のシステム。
［付記項１３］
前記アームの表面が、前記ガイドの関節運動の範囲を制限するための凹部を含む前記ボアを収容する、付記項１に記載のシステム。
［付記項１４］
前記関節運動の範囲が約２５度である、付記項１３に記載のシステム。
［付記項１５］
前記ロック部材が、前記ガイドの関節運動の範囲を制限するために前記棚内に形成されたポケットと係合するための尾部機構を含む、付記項１に記載のシステム。
［付記項１６］
前記関節運動の範囲が約２５度である、付記項１５に記載のシステム。
［付記項１７］
外科手術用ドリル加工の方法であって、
ドリルガイドのハンドルのアームを予め選択された位置に配置することであって、前記アームが、その中での円弧状の動きのために、前記ハンドルの遠位部分のスロットと係合する、配置することと、
前記回転部材のシャフトによって画定されるヒンジ軸の周りで前記アームの遠位端にエイマーガイドを固定する回転部材を旋回することであって、前記シャフトがロック部材の開口部を貫通し、前記エイマーガイドが前記回転部材から前記エイマーガイドの遠位端と一体的に形成されるテンプレートを有する、旋回することと、
スリーブ部材によって画定される挿入軸に沿って配置点に前記テンプレートを配置することであって、前記スリーブ部材が前記ハンドルの近位部分を摺動可能に貫通し、ガイドワイヤーの通過のために構成され、前記ヒンジ軸と前記挿入軸が、前記挿入軸に沿ってドリル部位を表す前記配置点を画定するために交差する、配置することと、
前記スリーブ部材の先端を前記ドリル部位に前進させることと、
前記ガイドワイヤーに前記スリーブ部材を通過させ、外科手術用ドリルの経路を示すことと、を含む、方法。
［付記項１８］
ロック機構を解除することと、前記アームに対して選択された角度位置で前記エイマーガイドをロックする前記ロック機構をさらに含む、付記項１７に記載の方法。
［付記項１９］
前記ロック機構が、前記アーム内に形成された複数の陥凹部との選択的な係合のために前記ロック部材上にピンを含む、付記項１８に記載の方法。
［付記項２０］
前記ロック機構が、前記アーム内に形成された複数のスプラインとの選択的な係合のために前記ロック部材上に複数の棘状突起を含む、付記項１８に記載の方法。
［付記項２１］
外科手術用ドリルガイドと使用するための装置であって、
ドリルガイドのアームに固定して取り付けられたキャップ部材と、
ロック部材の穴を貫通する、少なくとも部分的に前記アームのボアを通るねじ山付きシャフトを有する回転部材と、
前記ロック部材と前記ボアとの間に配置され、前記ロック部材と前記回転部材を前記キャップ部材に向かって付勢するように構成される付勢部材と、
前記回転部材の前記シャフトに取り外し可能に結合されるガイドと、を含み、
前記回転部材が、前記回転部材の前記シャフトによって画定されるヒンジ軸の周りで前記アームに対して前記ガイドを回転させる、装置。
［付記項２２］
前記ロック部材が、前記ヒンジ軸周りの回転のある角度で前記ガイドをロックするためのロック機構を備える、付記項２１に記載の装置。
［付記項２３］
前記ロック機構が、前記アーム内に形成された複数の陥凹部との選択的な係合のために前記ロック部材上にピンを含む、付記項２１に記載の装置。
［付記項２４］
前記ロック機構が、前記アーム内に形成された複数のスプラインとの選択的な係合のために前記ロック部材上に複数の棘状突起を含む、付記項２１に記載の装置。